(57)【特許請求の範囲】
【請求項１】
送信装置と受信装置とがトーン信号を用いたワイヤレス方式で接続されており、トーン信号を用いて音声通信を行うとともに、送信装置で受信装置側の機器を制御するためのトーン信号を搬送波信号で変調し、変調された被変調波信号を空間に放射し、前記受信装置において前記被変調波信号を検出して機器の制御を行う、ワイヤレスマイクロフォンシステムにおいて、
前記送信装置は、
音声通信、および、機器の制御に用いる、限られた可聴周波数帯域内の複数の異なる可聴音周波数のトーン信号を生成するトーン信号生成手段と、
前記受信装置側における機器と、その機器の動作を指定する機器指定手段と、
前記機器指定手段で指定された機器に応じて予め設定されたオン／オフパターンのパルス信号を生成して、当該パルス信号がオンまたはオフのいずれかの期間前記トーン信号生成手段で生成された複数のトーン信号のうちの第１のトーン信号、および、前記機器の制御に用いる前記トーン信号生成手段で生成された前記複数のトーン信号のうちの前記第１のトーン信号とは異なる他のトーン信号を変調信号として搬送波信号を変調する変調手段と、
前記変調手段で変調された被変調波信号を空間に放射する信号放射手段と
を有し、
前記受信装置は、
前記信号放射手段から空間に放射された前記被変調波信号を受信し、該受信した被変調波信号を検波して前記変調信号を検出する受信手段と、
それぞれ前記複数のトーン信号の異なる可聴音周波数の帯域通過特性を有し、前記受信手段で検出した前記変調信号をフィルタリングする複数の帯域通過フィルタと、
前記複数の帯域通過フィルタを通過した信号を入力し、前記機器を示すパルス信号に該当する信号を検出する第１の検出手段と、
前記複数の帯域通過フィルタを通過した信号を入力し、前記他のトーン信号を検出する第２の検出手段と、
前記第１および第２の検出手段で検出した内容に応じて、前記送信装置において指定された機器を駆動するための制御動作を行う制御手段と
を有する、
ワイヤレスマイクロフォンシステム。
【発明の詳細な説明】
【０００１】
【産業上の利用分野】
本発明は、トーン信号を使用し、音声信号の送受信とともに各種機器の制御を行うワイヤレスマイク通信システムに関する。
【０００２】
【従来の技術】
従来のトーン信号を使用し、各種機器の制御を行うワイヤレス通信システム、例えば、駅においてアナウンスを行うとともに各種制御を行うシステムにおいては、以下に述べるような方法で各種機器の制御を行っていた。
【０００３】
ワイヤレス送信機（マイク）は、使用者の音声信号の他、限られた可聴周波数帯域内および４０ＫＨｚ以下の可聴周波数帯域外の複数のトーン信号により搬送波信号を変調し、その被変調波信号を電波としてワイヤレス受信機に伝送し、ワイヤレス受信機を介して前記トーン信号の有無に対応した各種機器への制御を行っていた。
【０００４】
まず、ワイヤレスマイクの使用者は、ワイヤレス受信機を介した各種機器の制御を行う際、ワイヤレスマイクに配設されたボタンスイッチを押下し、制御の種類を選択する。
この制御の種類に対応して、例えば、第一の制御には前記の内の第一のトーン信号が使用され、第一のトーン信号がワイヤレス受信機で受信された場合に第一の制御を行い、受信されなくなると第一の制御を止めるといった制御を行うという取決めがなされている。
【０００５】
ワイヤレスマイクは選択された制御の種類に対応したトーン信号で搬送波信号を変調し、その被変調波信号を電波として送出する。
この電波はワイヤレス受信機で受信され、被変調波信号から変調信号が検出（検波）される。
さらにこの検波された変調信号は、使用されるトーン信号に対応して設けられ、その周波数を中心周波数とし、急峻な選択性を有するバンドパスフィルタに入力され、トーン信号が検出される。
【０００６】
ワイヤレス受信機に設けられた制御装置は、接続される各種機器についてトーン信号およびその有無に対応した制御を行う。
この例では上記取り決めに従い、第一の制御に使用される第一のトーン信号が検出された場合、第一の制御を行い、検出されなくなった場合、第一の制御を止める。
同様にして、その他の制御も別のトーン信号を使用して行われる。
【０００７】
【発明が解決しようとする課題】
従来のワイヤレスマイク通信システムは、以上述べたように構成され、各種機器の制御を行っていたので、以下に述べるような問題点があった。
ワイヤレス受信機側で、各種制御をトーン信号の有無に基づいて行うので、トーン信号と同一の雑音が検出された場合、各種機器への制御に誤動作が生じやすく、信頼性に欠けるという問題点があった。
【０００８】
また、トーン信号の有無に基づいた制御を行う場合、その周波数は、制御に対応した数が必要となり、ワイヤレスマイクにおいて伝送可能な前記限られた可聴周波数帯域内および４０ＫＨｚ以下の可聴周波数帯域外のトーン信号の数の制限により、制御の種類および制御の対象となる機器の数に限りがあるという問題点があった。
本発明は上記のような問題点に鑑みてなされたものであり、雑音に強く、誤動作が生じにくく、信頼性が高い各種機器の制御を行うことができ、回路を増やさずにさらに制御の種類および制御の対象となる機器の数を豊富にすることができるワイヤレスマイク通信システムを提供することを目的としている。
【０００９】
【課題を解決するための手段】
本発明によれば、送信装置と受信装置とがトーン信号を用いたワイヤレス方式で接続されており、トーン信号を用いて音声通信を行うとともに、送信装置で受信装置側の機器を制御するためのトーン信号を搬送波信号で変調し、変調された被変調波信号を空間に放射し、前記受信装置において前記被変調波信号を検出して機器の制御を行う、ワイヤレスマイクロフォンシステムにおいて、
前記送信装置は、音声通信、および、機器の制御に用いる、限られた可聴周波数帯域内の複数の異なる可聴音周波数のトーン信号を生成するトーン信号生成手段と、前記受信装置側における機器と、その機器の動作を指定する機器指定手段と、前記機器指定手段で指定された機器に応じて予め設定されたオン／オフパターンのパルス信号を生成して、当該パルス信号がオンまたはオフのいずれかの期間前記トーン信号生成手段で生成された複数のトーン信号のうちの第１のトーン信号、および、前記機器の制御に用いる前記トーン信号生成手段で生成された前記複数のトーン信号のうちの前記第１のトーン信号とは異なる他のトーン信号を変調信号として搬送波信号を変調する変調手段と、前記変調手段で変調された被変調波信号を空間に放射する信号放射手段とを有し、前記受信装置は、前記信号放射手段から空間に放射された前記被変調波信号を受信し、該受信した被変調波信号を検波して前記変調信号を検出する受信手段と、それぞれ前記複数のトーン信号の異なる可聴音周波数の帯域通過特性を有し、前記受信手段で検出した前記変調信号をフィルタリングする複数の帯域通過フィルタと、前記複数の帯域通過フィルタを通過した信号を入力し、前記機器を示すパルス信号に該当する信号を検出する第１の検出手段と、前記複数の帯域通過フィルタを通過した信号を入力し、前記他のトーン信号を検出する第２の検出手段と、前記第１および第２の検出手段で検出した内容に応じて、前記送信装置において指定された機器を駆動するための制御動作を行う制御手段とを有する、
ワイヤレスマイクロフォンシステムが提供される。
【００１３】
【作用】
ワイヤレスマイクに設けられた第一のトーン信号を、予め決められたタイミングでオン／オフする手段は、各種機器に対する制御に対応したタイミングで第一のトーン信号をオン／オフし、この信号により搬送波信号を変調し、このタイミングをワイヤレス受信機側に伝送する。
このタイミング信号はワイヤレス受信機により検出され、このタイミングに対応した各種機器の制御が行われる。
また、さらに、第一のトーン信号と異なる周波数のトーン信号の有無と第一のトーン信号のタイミングを組み合わせ、これに対応した各種機器への制御を行うことにより、回路を増やさずに制御の種類および処理の対象となる機器の数を増やし、さらに制御の信頼性を増している。
【００１４】
【実施例】
以下、第一の実施例について説明する。
図１は、本発明のワイヤレス送信機（マイク）１の構成を示す図である。
図２は、本発明のワイヤレス受信機２の構成を示す図である。
図３は、ワイヤレスマイク１において搬送波信号を変調し、ワイヤレス受信機２において検出されるトーン信号のオン／オフのタイミングを示す図である。
【００１５】
図１において、入出力回路（Ｉ／Ｏ）１０は、ボタンスイッチ、液晶表示装置等から構成され、ワイヤレスマイク１に対して電波送出のオン／オフ、あるいはワイヤレス受信機２で実現される各種機器の制御の種別を指定する回路である。制御回路（ＣＰＵ）１１は、ＣＰＵおよびその周辺回路等から構成され、ワイヤレスマイク１全体の制御を行うとともに入出力回路１０で指定される前記制御種別等を読み取り、トーン発生回路１２、出力増幅器１５等の制御を行う回路である。
なお、ワイヤレスマイク１における本発明の本質的な部分はトーン発生回路１２に対する制御にあるので、これ以外の部分に対する制御は説明の便宜上、適宜省略する。
【００１６】
トーン発生回路（ＴＯＮＥ）１２は、制御回路１１の制御に従い、例えば１４．８５ＫＨｚ、９４．８Ｈｚ、１０７．２Ｈｚの３種類のトーン信号を発生し、所定のタイミングで活性化／不活性化（オン／オフ）して発信／変調回路１３に出力する回路である。
ここで、活性化（オン）するとは、トーン信号を出力すること、不活性化（オフ）するとは、トーン信号の出力を停止することである。
【００１７】
発信／変調回路（ＯＳＣ）１３は搬送波信号を発生し、これをトーン発生回路１２から入力されるトーン信号を変調信号として、直接にＦＭ変調し、被変調波信号として出力増幅器１５に出力する回路である。ここでは、搬送波信号として、例えば２４０ＭＨｚの信号が使用される。
なお、発信／変調回路１３における変調方式はＦＭ変調に限らず、ワイヤレスマイク通信システムの構成によっては他の方式、例えばＡＭ変調方式でもよい。また、搬送波発信回路と変調回路を別々に設けてもよい。
ここで、変調信号としては他に音声信号があるが、説明の便宜上省略している。
出力増幅器（ＰＡ）１５は、発信／変調回路１３から入力される被変調波信号を増幅し、アンテナ１６を介して送出する回路である。
【００１８】
ワイヤレスマイク１の動作の概略は以下の通りである。
ワイヤレスマイク１の使用者は入出力回路１０を介して制御回路１１にワイヤレス受信機２で実現される制御種別を指定する。この指定を読み取った制御回路１１はトーン発生回路１２を制御し、所定のタイミングで上記３種類のトーン信号をオン／オフし、そのトーン信号を発信／変調回路１３に入力する。
【００１９】
発信／変調回路１３においては、前記トーン信号で搬送波信号を変調し、出力増幅器１５およびアンテナ１６を介して被変調波信号を電波としてワイヤレス受信機２に送出する。
【００２０】
図２において、受信回路２１は、アンテナ２０を介して電波信号として受信された前記被変調波信号を増幅し、検波して変調信号を検出し、バンドパスフィルタ２２ａ〜２２ｃに出力する回路である。
なお、受信回路２１はごく一般的なＦＭ受信機と同様のものである。
また、検波方式はワイヤレスマイク１の変調方式に合った方式が使われる。
【００２１】
バンドパスフィルタ（ＢＰＦ）２２ａ〜２２ｃは、それぞれ通過中心周波数が１４．８５ＫＨｚ、９４．８Ｈｚ、１０７．２Ｈｚであり、急峻な選択性を有するバンドパスフィルタ回路である。
バンドパスフィルタ２２ａ〜２２ｃは、受信回路２１で検出された変調波からそれぞれの中心周波数に対応するトーン信号を取り出し、検出回路２３に出力する。
【００２２】
検出回路２３ａ〜２３ｃは、それぞれ対応するバンドパスフィルタ２２ａ〜２２ｃから出力されるトーン信号の有無を検出する回路である。
検出回路２３ａ〜２３ｃにおいては、それぞれトーン信号が存在する場合出力はＨ（論理値１）となり、存在しない場合出力はＬ（論理値０）となる。これにより、各トーン信号がオン／オフされるタイミングを検出することができる。
なお、ここで述べた論理値は逆であっても構わない。つまり、トーン信号が存在する場合出力はＬ（論理値０）とし、存在しない場合出力はＨ（論理値１）であるとして制御回路２４で処理を行うように構成してもよい。
【００２３】
制御回路（ＣＰＵ）２４は、ＣＰＵおよびその周辺回路から構成され、ワイヤレス受信機２全体の制御を行うとともに、検出回路２３ａ〜２３ｃの出力信号を解析し、前記制御種別を識別し、入出力回路２５を介して、ワイヤレス受信機２に接続される各種機器の制御を行う回路である。
入出力回路（Ｉ／Ｏ）２５は、各種機器の制御に使用される信号の駆動回路、ワイヤレス受信機２に対する設定を行うボタンスイッチ、および液晶表示装置等から構成され、ワイヤレス受信機２の動作の設定、制御回路２４の制御に従い、ワイヤレス受信機２に接続される各種機器の制御を行う回路である。
なお、ここではワイヤレス受信機２に対する動作設定については説明の便宜上説明を省略する。
【００２４】
以下、ワイヤレス受信機２の動作の概略を説明する。
アンテナ２０を介して受信された前記被変調波信号は、受信回路２１で増幅され、検波されて変調信号が検出される。
この変調信号をバンドパスフィルタ２２ａ〜２２ｃでフィルタリングし、それぞれ対応するトーン信号が取り出される。このトーン信号は検出回路２３ａ〜２３ｃに入力され、トーン信号の有無が検出される。
このトーン信号の有無の情報は制御回路２４に入力され、解析される。これに基づき、制御回路２４は入出力回路２５を介してワイヤレス受信機２に接続される各種機器の制御を行う。
【００２５】
以下、ワイヤレスマイク１およびワイヤレス受信機２を含む、システム全体の動作を説明する。
ワイヤレスマイク１の使用者は、ワイヤレスマイク１を使用して音声信号の送信（アナウンス）を行うとともに、入出力回路１０に配設されたボタン（図示せず）を押下することにより、ワイヤレス受信機２に接続された各種機器の制御を指定する。
【００２６】
ここで、ワイヤレス受信機２に接続され、制御の対象となる機器は、例えば発車ベルおよび列車内部の信号ランプである。また、入出力回路１０に配設されたボタンＡを押下した場合は発車ベルを鳴らす。ボタンＢを押下した場合は発車ベルを停止する。ボタンＣを押下した場合は信号ランプを点灯する。ボタンＤを押下した場合は信号ランプＤを消灯するという取決めがなされている。
【００２７】
入出力回路１０を介して制御種別の指定を受けた制御回路１１は、ボタンＡを押下した場合はトーン発生回路１２を制御し、１４．８５ＫＨｚのトーン信号（第一のトーン信号）を図３（Ａ）に示すタイミングで、図中（Ｈ）（論理値１）で示される期間オンし、図中（Ｌ）（論理値０）で示される期間オフし、発信／変調回路１３に入力する。
【００２８】
以下同様に、ボタンＢを押下した場合は図３（Ｂ）に示すタイミングで、ボタンＣを押下した場合は図３（Ｃ）に示すタイミングで、ボタンＤを押下した場合は図３（Ｄ）に示すタイミングで第一のトーン信号をオン／オフする。このようにオン／オフされた第一のトーン信号は一定の時間発生され、発信／変調回路１３に入力される。
ここで、図３におけるタイミングは図中にｔa で示される時間、例えば１０ｍ秒を単位とし、デューティ比５０％でオン／オフされるものである。ただし、このデューティ比およびタイミングは装置の構成等の要件により自由に選択可能なものである。
【００２９】
発信／変調回路１３は、上記搬送波信号を、上記のようにオン／オフされた第一のトーン信号を変調信号として変調し、被変調波信号とし、出力増幅器１５およびアンテナ１６を介して電波信号としてトーン発生回路２に送出する。
【００３０】
ワイヤレス受信機２において、この電波信号はアンテナ２０で受信され、被変調波信号として受信回路２１に入力される。
受信回路２１では、この被変調波信号を増幅し、検波して変調信号を検出する。この変調信号はバンドパスフィルタ２２ａ〜２２ｃに入力され、トーン信号が取り出される。ここでは第一のトーン信号を使用しているのでバンドパスフィルタ２２ａにおいて第一のトーン信号が取り出される。
【００３１】
バンドパスフィルタ２２ａにおいて取り出された第一のトーン信号は検出回路２３ａに入力され、信号の有無が検出される。ここで図３に示したタイミングが検出される。
検出回路２３ａで検出された上記タイミング情報は制御回路２４に入力され、解析されて、指定された制御種別が識別される。
この制御種別は図３に示す各タイミングに対応して上述のように決められている。
【００３２】
この情報に基づき制御回路２４は、図３（Ａ）に示すタイミングが識別された場合、入出力回路２５を介して発車ベルを制御し、発車ベルを鳴らす。
また、図３（Ｂ）に示すタイミングが識別された場合、入出力回路２５を介して発車ベルを制御し、発車ベルを停止する。
また、図３（Ｃ）に示すタイミングが識別された場合、入出力回路２５を介して信号ランプを制御し、信号ランプを点灯する。
また、図３（Ｄ）に示すタイミングが識別された場合、入出力回路２５を介して信号ランプを制御し、信号ランプを消灯する制御を行う。
以上で第一の実施例における各種機器についての制御を終了する。
以上述べたように、第一の実施例におけるワイヤレスマイク通信システムでは、第一のトーン信号のタイミングを変更することにより、制御種別を増すことが可能である。
【００３３】
なお、第一の実施例においては第一のトーン信号のみを使用して各種機器の制御を行ったが、他のトーン信号を併用し、ここで述べたものと同様な方法で使用し、各種機器の制御を行ってもよい。
また、ワイヤレスマイク１の入出力回路１０における制御種別の指定はここで述べたものに限らず、例えば液晶表示装置にメニュー画面を表示し、それに従った操作を行うように構成してもよい。
また、制御回路１１、２４においてはＣＰＵは必須構成要素ではなく、ごく簡単な制御のみを行う場合は、ソフトウェアによらない制御を行うように構成してもよい。
また、トーン信号の種類はここで述べたものに限らず、種類の数を増やし、また、周波数を変更してもよい。この場合、トーン発生回路１２の構成、バンドパスフィルタ２２の数および特性、および検出回路２３の数はそれに合わせて変更する必要がある。
また、信頼性向上のため、上記タイミングを何回か検出した後に各種機器の制御を行うように構成してもよい。
【００３４】
以下、第二の実施例について説明する。
第二の実施例は、第一の実施例で述べた、トーン信号のタイミングと、他のトーン信号の有無の組み合わせにより、それに応じた各種機器への制御を行うものである。
【００３５】
第二の実施例におけるワイヤレスマイク通信システムは、第一の実施例で述べたワイヤレスマイク１およびワイヤレス受信機２を使用して実現される。
ここで、１４．８５ＫＨｚのトーン信号を第一のトーン信号、他のトーン信号、つまり９４．８Ｈｚのトーン信号を第二のトーン信号、１０７．２Ｈｚのトーン信号を第三のトーン信号と以下記す。
【００３６】
以下、本発明のワイヤレスマイク通信システムの動作を説明する。
ワイヤレスマイク１の使用者は、ワイヤレスマイク１を使用して音声信号の送信（アナウンス）を行うとともに、入出力回路１０に配設されたボタン（図示せず）を押下することにより、ワイヤレス受信機２に接続された各種機器の制御を指定する。
【００３７】
ここで、ワイヤレス受信機２に接続され、制御の対象となる機器は、例えば発車ベルおよび列車内部の信号ランプである。また、入出力回路１０に配設されたボタンＡを押下した場合は発車ベルを鳴らす。ボタンＢを押下した場合は発車ベルを停止する。ボタンＣを押下した場合は信号ランプを点灯する。ボタンＤを押下した場合は信号ランプＤを消灯するという取決めがなされている。
【００３８】
入出力回路１０を介して制御種別の指定を受けた制御回路１１は、ボタンＡを押下した場合はトーン発生回路１２を制御し、第一のトーン信号を図３（Ａ）に示すタイミングで、図中（Ｈ）（論理値１）で示される期間オンし、図中（Ｌ）（論理値０）示される期間オフし、さらに第二のトーン信号を連続的に発生し、発信／変調回路１３に入力する。
以下同様に、ボタンＢを押下した場合は図３（Ａ）に示すタイミングで第一のトーン信号を発生し、さらに第三のトーン信号を連続的に発生する。
ボタンＣを押下した場合は図３（Ｂ）に示すタイミングで第一のトーン信号を発生し、さらに第二のトーン信号を連続的に発生する。
ボタンＣを押下した場合は図３（Ｂ）に示すタイミングで第一のトーン信号を発生し、さらに第三のトーン信号を連続的に発生する。
【００３９】
つまり、ここでは、第一のトーン信号のタイミングは制御の対象となる機器を指定し、第二、第三のトーン信号はその機器に対する制御の内容を指定する。
このようにオン／オフされた第一のトーン信号と、連続的に発生される第二、第三のトーン信号は一定時間発信／変調回路１３に入力される。
【００４０】
発信／変調回路１３は、前記搬送波信号を第一、および第二、または、第三のトーン信号を変調信号として変調し、被変調波信号とし、出力増幅器１５およびアンテナ１６を介して電波信号としてトーン発生回路２に送出する。
【００４１】
ワイヤレス受信機２において、この電波信号はアンテナ２０で受信され、被変調波信号として受信回路２１に入力される。
受信回路２１では、この被変調波信号を増幅し、検波して変調信号を検出する。この変調信号はバンドパスフィルタ２２ａ〜２２ｃに入力され、トーン信号が取り出される。ここでは第一、および、第二、または第三のトーン信号を使用しているのでバンドパスフィルタ２２ａ〜２２ｃにおいて上記各トーン信号が取り出される。
【００４２】
バンドパスフィルタ２２ａ〜２２ｃにおいて取り出された第一、および、第二、または、第三のトーン信号はそれぞれ対応する検出回路２３ａ〜２３ｃに入力され、信号の有無が検出される。
ここで、第一のトーン信号については図３に示したタイミングが検出される。検出回路２３ａで検出された第一のトーン信号のタイミング情報は制御回路２４に入力され、解析されて、指定された制御の対象となる機器が識別される。
この制御の対象となる機器は図３に示す各タイミングに対応して上述のように決められている。
検出回路２３ｂ、２３ｃで検出された第二、または、第三のトーン信号は制御回路２４に入力され、解析されて指定された制御の対象の機器についての制御内容が識別される。
【００４３】
この情報に基づき制御回路２４は、図３（Ａ）に示すタイミングが識別され、さらに第二のトーン信号が識別された場合、入出力回路２５を介して発車ベルを制御し、発車ベルを鳴らす。
また、図３（Ｂ）に示すタイミングが識別され、さらに第三のトーン信号が識別された場合、入出力回路２５を介して発車ベルを制御し、発車ベルを停止する。
また、図３（Ｃ）に示すタイミングが識別され、さらに第二のトーン信号が識別された場合、入出力回路２５を介して信号ランプを制御し、信号ランプを点灯する。
また、図３（Ｄ）に示すタイミングが識別され、さらに第三のトーン信号が識別された場合、入出力回路２５を介して信号ランプを制御し、信号ランプを消灯する制御を行う。
以上で第二の実施例におけるワイヤレスマイク通信システムの各種機器に対する制御を終了する。
【００４４】
以上述べたように構成することにより、制御の種別をさらに増やすことが可能であり、また、２種類のトーン信号を制御に使用するので雑音に強く、信頼性が向上するという効果が付随する。
第二の実施例においても第一の実施例で述べたのと同様な変形例が考えられる。
また、第一のトーン信号のタイミングと、第二のトーン信号および第三のトーン信号の有無の組み合わせにより、以上述べた発車ベルおよび信号ランプ以外の制御、例えば客終ベル、アンプ起動等の制御を行ってもよい。
また、上記実施例においては、発車ベルの起動と停止といった制御を別々のボタンを押すことにより指定したが、同一のボタンを一回目に押した場合に起動、二回目に押した場合に停止するような制御の指定を行うように構成してもよい。以上述べた各実施例の他に、本発明のワイヤレスマイク通信システムは種々の構成をとることができる。上記各実施例は例示である。
【００４５】
【発明の効果】
以上述べたように、本発明のワイヤレスマイク通信システムによれば、雑音に強く、誤動作が生じにくく、信頼性が高い各種機器の制御を行うことができ、回路を増やさずに制御の種類および制御の対象となる機器の数を豊富にすることができるワイヤレスマイク通信システムを提供することができる。
【図面の簡単な説明】
【図１】本発明のワイヤレス送信機（マイク）の構成を示す図である。
【図２】本発明のワイヤレス受信機の構成を示す図である。
【図３】ワイヤレスマイクにおいて搬送波信号を変調し、ワイヤレス受信機において検出されるトーン信号のオン／オフのタイミングを示す図である。
【符号の説明】
１・・・ワイヤレスマイク
２・・・ワイヤレス受信機
１０・・・入出力回路
１１・・・制御回路
１２・・・トーン発生回路
１３・・・発信／変調回路
１５・・・出力増幅器
１６・・・アンテナ
２０・・・アンテナ
２１・・・受信回路
２２・・・バンドパスフィルタ
２３・・・検出回路
２４・・・制御回路
２５・・・入出力回路
【図１】
0003540820.tif 000002
【図２】
0003540820.tif 000003
【図３】
0003540820.tif 000004